(57)【要約】【課題】様々な装備品の表面を装飾するための金属装飾材料を、環境汚染源となる化学物質を使用しないで製造するための、工業的手法でも手作業でも使用できる方法の開発。【解決手段】メイン金属の表面上に花粉状ホルダーを作製する工程と、模様を作り出す素材を前記花粉状ホルダーの中に固定する工程を含む、金属装飾材料の製造方法。花粉状ホルダーはメイン金属の表面をエッチングすることによって作製される。エッチングは横断方向に４〜８回又は４〜８方向で操作される。エッチング方向は１．北から南へ又はその逆、２．西から東へ又はその逆、３．北東から南西へ又はその逆、４．北西から南東へ又はその逆、の群から選ばれ、１、３、４そして２の方向の順番又はその逆の順番で、そして追加エッチングを３、４、１、２の方向の順番で又はその逆の順番で、行うとよい。【選択図】なし【特許請求の範囲】
【請求項１】
ａ）メイン金属の表面上に花粉状ホルダーを作製し、そして
ｂ）模様を作り出す素材をメイン金属の表面に固定する
諸工程を含む、金属装飾材料の製造方法。
【請求項２】
花粉状ホルダーはメイン金属の表面をエッチングすることによって作製される、請求項１の方法。
【請求項３】
エッチングは４〜８回または４〜８方向にわたって横断方向に操作される、請求項２の方法。
【請求項４】
エッチング方向は、
４．１北から南へ又はその逆、
４．２西から東へ又はその逆、
４．３北東から南西へ又はその逆、
４．４北西から南東へ又はその逆、
の群から任意的に選ばれてもよい、請求項２または３の方法。
【請求項５】
前記方向は異なる度合の任意の角度をつくって傾かせてもよい、請求項４の方法。
【請求項６】
４．３および４．４に示された通りの方向を、場合によっては、４．１の方向に対して４０〜５０°の角度を成すように選択してもよい、請求項４または５の方法。
【請求項７】
上記方向として、場合によっては、先行方向と同じ方向、逆方向または交叉方向でエッチングされてもよい、請求項４または５の方法。
【請求項８】
エッチング操作は同じ方向に、しかし１〜５°異なる角度で、２回以上操作されてもよい、請求項３〜７のいずれか一項の方法。
【請求項９】
場合によっては、請求項４に示された通りの方向で４．１、４．３、４．４そして４．２の順番で又は逆の順番でエッチングすることに選択されてもよい、請求項７の方法。
【請求項１０】
場合によっては、追加エッチングを、請求項４の４．３、４．４、４．１そして４．２の順番の又は異なる順番の方向で行ってもよい、請求項９の方法。
【請求項１１】
エッチングの各回で異なる力を加えるように選択されてもよい、請求項１〜１０のいずれか一項の方法。
【請求項１２】
場合によって、エッチング用機器とメイン金属表面との間の角度は７０〜１２０°から選択されてもよい、請求項１〜１１のいずれか一項の方法。
【請求項１３】
角度が８０〜１００°である、請求項１２の方法。
【請求項１４】
４回目〜８回目のいずれかのエッチングの最後にメイン表面上の花粉状ホルダーの中に装飾模様素材を固定するように選択されてもよい、請求項１〜１３のいずれか一項の方法。
【請求項１５】
前記装飾模様素材を元素表からの貴金属の群から選択してもよい、請求項１〜１４のいずれか一項の方法。
【請求項１６】
貴金属を金、銀または白金から選択してもよい、請求項１５の方法。
【請求項１７】
場合によっては、前記貴金属を約１７〜１８１μｍの直径の小さな糸状に延ばしてもよい又は引き伸ばしてもよい、請求項１６の方法。
【請求項１８】
メイン金属の表面上の模様間の不透明領域をその領域の一部または全部で透けた空間であるように又は全て不透明領域であるように選択してもよい、請求項１〜１７のいずれか一項の方法。
【請求項１９】
透けた空間はなんらかの手段で浸食または切除することによって作製されてもよい、請求項１８の方法。
【請求項２０】
透けた空間は装飾模様の縁端で直角になるように又は傾斜角度をもつように又は模様順に従うように穴あけ又はカットすることによって作製されてもよい、請求項１８または１９の方法。
【請求項２１】
メイン表面金属の両面に同じ又は異なる装飾模様が制作されてもよい、請求項１〜２０のいずれか一項の方法。
【請求項２２】
請求項１〜２１のいずれか一項の方法によって製造された金属装飾材料。
【請求項２３】
いずれかの装備品を装飾するための、請求項１〜２１のいずれか一項の方法によって製造された装飾材料の使用。
【請求項２４】
表面を装飾された装備品を製造するための、請求項１〜２２のいずれか一項の方法の使用。
【発明の詳細な説明】
【技術分野】
【０００１】
本発明は汚染源である化学物質を使用しないで様々な模様(design)の金属装飾材料(metal-decorating material)を製造する方法に関する。
【背景技術】
【０００２】
有用性の考察は別にして、いずれの装備品の製造においても、審美性は十分に考慮されなければならない。装飾または美化の様々な方法があり、たとえば、彫刻、エナメル化、貴重な素材による飾り付け、等々、が存在する。
【発明の概要】
【発明が解決しようとする課題】
【０００３】
金属装備品の場合には、飾りをつくるのに様々な方法が使用できる。しかしながら、飾りが金属表面でのエッチング(etching)を伴わなければならない場合には、しばしば、化学物質が使用される。けれども、化学物質は大抵、環境汚染の原因になるという不利益がある。
【０００４】
本発明は装備品を装飾するための金属装飾材料を製造する方法；または、様々な装備品表面たとえば家具、武具、さいふ(purse)、ナイトパウチ(night pouch)などを装飾する方法を意図している。
【０００５】
本発明は環境汚染を起こさずに工業的手法でも手作業でも使用できる金属装飾材料製造方法に関する。
【０００６】
以後、この説明の中で及び特許請求の範囲の中で使用される用語「金属装飾材料」は金属からつくられていて、金属またはその他の素材から成る装備品を飾りたてるのに使用できる、装飾材料を包含する；又は、この方法は金属装備品を直接に装飾するのに使用できる。
【課題を解決するための手段】
【０００７】
本発明の金属装飾材料製造方法は、装飾材料の基材を形成しているところの又は装備品自体がその金属から成るところのメイン金属の表面上に花粉状ホルダー(pollenlike holder)を作製する工程；および、かかるメイン金属の表面に、模様を作り出す素材(design-creating material)をセッティングするのに、前記花粉状ホルダーを使用することによって、メイン材料の表面上に、模様を作り出す素材をセッティングする工程からなる。
【発明の効果】
【０００８】
本発明の態様としては、本発明の金属装飾材料は、表面上に花粉状ホルダーになるようにエッチングされているメイン金属の一片と、かかる花粉状ホルダーによってホールドされた模様を作り出す素材とからなるであろう。従って、この花粉状ホルダーは、何ら化学物質の使用なしで、模様を作り出す素材を移動できなくさせる固定手段(setter)として機能するであろう。それ故に、これは経済的であり且つ環境汚染を低減する。
【発明を実施するための形態】
【０００９】
模様を作り出す素材はかかるメイン金属を美しくさせるいずれの類いの素材であってもよい。本発明の態様としては、模様を作り出す素材として、表に従って、貴金属、たとえば、金、銀、白金など、を使用することが好ましい。この場合、かかる貴金属を延ばして又は引き伸ばして直径約１７〜１８１μｍのほぼ毛髪サイズの小さな薄い糸にすることが妥当である。装備品の表面の飾りをつくる前に装飾材料板が製造される場合には、貴金属の厚さおよび幅並びにメイン金属板の厚さが臨界点ではないとしても、メイン金属板は１ｍｍ以下の厚さにすべきである。
【００１０】
花粉状ホルダーの作製過程は、何ら化学物質を使用しないで、しかしかかるメイン金属の表面にマークを生じさせる何らかの機器、たとえばノミ(chisel)などを使用して、かかるメイン金属の表面をエッチングすることによって、行うことができる。ここで、所望する加工片(work-piece)の細かさ(fineness)に応じて、機械または人力を直接使用してもよい。
【００１１】
本発明の態様としては、エッチングは模様を作り出す素材をホールドすることができるようにするために、メイン金属の表面に花粉状のマークを複数作ることとして定義される。これは、かかるマークが４〜８回または４〜８方向のどちらかにわたって異なる方向に横切るやり方で、達成されることができる。
【００１２】
かかるエッチングマークは次のように異なる方向に操作されてもよい：
１．北から南へ、すなわち、垂直な線でメイン金属の上から下に向かって、または、その逆。
２．西から東へ、すなわち、水平レベルの平行線でメイン金属の左から右に向かって、またはその逆。
３．上記第１番に従う線に対して４０〜５０°の角度をつくって、北東から南西へ、またはその逆。
４．上記第１番に従う線に対して４０〜５０°の角度をつくって、北西から南東へ、またはその逆。
【００１３】
本発明の態様としては、エッチングは使用される機器に依って、毎度１方向以上で操作されてもよい。また、その次のエッチングは先行のそれと同じ方向、逆方向、反対方向、または交差方向で操作されてもよい。操作は少なくとも４回（方向）またはそれ以上、そして８回（方向）まで、であってもよい。本発明の態様としては、エッチングはそれぞれ上記の１、３、４そして２の順番の方向に従って操作されてもよい、又はその逆に行うこともできる；またはエッチングは３、４、１および２の順番又はその逆の順番に従って５〜８回または５〜８方向まで増やすように選択されてもよい。
【００１４】
加えて、本発明の特徴によって、エッチング操作の各回または各方向において、必要とされる通りに様々な度合の強い又は軽い力を適用することは任意であり、たとえば、上記特徴によって、両方のエッチングが同じ方向に操作されるとしても５番目のエッチングにおいて加えられる力は２番目のエッチングにおいて適用された力より軽くてもよい。また、一揃いの操作を行うことも任意的であり、すなわち、第一ラウンドのエッチングにおいて適用される力は第二ラウンドにおいて適用される力より強くてもよい。その上、エッチングは等しい角度または若干異なる角度における同じ方向で操作されてもよい。しかしながら、約１〜５°異なる角度が適する；エッチング操作はエッチング用機器をメイン金属表面に対して７０〜１２０°の角度を成すように使用することによって操作されてもよいが、より好ましいのは８０〜１００°である。
【００１５】
本発明の特徴によって、模様を作り出す素材は、所望される何らかの模様で、既にエッチングされているメイン金属の表面上の花粉状ホルダー中に固定され、その花粉状ホルダーは、何らかのプロセス、例えば、固定用機器(setting instrument)を用いることによって、模様を作り出す素材をホールドすることができるように、作られる。さらに、模様を作り出す素材は、エッチング操作の所望通りの第４回目から第８回目までのような、いずれかの回の最後に固定されてもよい。
【００１６】
本発明の態様としては、装飾模様間の表面の不透明領域は、何らかの手段を使用することによって、たとえば、何らかの手段によって浸食(fretting)または切除(cutting off)することによって、部分的に又は完全に透けた空間になるように貫通されてもよい。
【００１７】
本発明の態様としては、穴あけ(puncture)はかかる模様の縁端が両面の間で直角になるように又は傾斜角度をもつように又は模様順に従うように行われてもよい。
【００１８】
本発明の態様としては、本発明の方法は両面に、同じ模様であるか又はそうでないかのどちらかである、模様装飾を生じるように使用されてもよいし、又は本発明の方法は片面だけに行われてもよい。
【産業上の利用可能性】
【００１９】
本発明の態様としては、本方法を使用することによって製造された金属装飾材料は、金属またはその他いずれかの素材から成る装備品および機器、たとえば、ナイトパウチ、フォトフレーム、箱、スモールカセット、威厳のある又は宗教的な伝統的タイ風建造物の装飾された切妻末端(gable end)、ジャンク(junk)の上屋根、等々、を装飾するのに使用されてもよい。さらには、本発明の方法は望む通りのいずれの装備品および機器の表面に意匠を制作するのに使用されてもよい。
【外国語明細書】
2011240711000001.pdf